(57)【要約】【課題】取り忘れ原稿が見当たらない場合などにそれと同じ原稿のプリント出力を簡単に行うことのできる画像形成装置等を提供する。【解決手段】通常モードでは、読み取った画像または印刷した画像の画像データとその読み取りまたは印刷に係る属性情報（ジョブの実行日時や原稿枚数、ジョブ種など）とを関連付けて記憶部２４に記憶し、取り忘れ通知モードでは読み取った原稿画像と一致する画像を記憶部２４の中から検出して取り忘れ画像に設定し、再プリントモードでは、ジョブの実行日時などの検索条件の入力を受け付け、該検索条件に一致する画像を記憶部２４内の取り忘れ画像の中から検索し、その画像のリストを表示し、該リストから選択された取り忘れ画像を印刷出力する。【選択図】図２
2010002470.tif 000002
【特許請求の範囲】
【請求項１】
印刷部と、
原稿画像を光学的に読み取る読取部と、
画像の記憶部と、
検索条件の入力を受ける入力部と、
表示部と、
制御部と、
を備え、
前記制御部は、
前記印刷部によって印刷された画像と前記印刷の属性情報とを関連付けて前記記憶部に記憶させ、
取り忘れ原稿の読み取り指示を受けた場合は、前記読取部に原稿を読み取らせると共に、その原稿の画像と一致する画像を前記記憶部の中から検出して取り忘れ画像に設定し、
印刷出力させる取り忘れ原稿の検索条件が前記入力部から入力された場合は、前記入力された検索条件に一致する画像を前記記憶部に記憶されている取り忘れ画像の中から検索し、その検索された取り忘れ画像を選択肢とする印刷対象の選択画面を前記表示部に表示させる
ことを特徴とする画像形成装置。
【請求項２】
原稿画像を光学的に読み取る読取部と、
画像の記憶部と、
検索条件の入力を受ける入力部と、
表示部と、
制御部と、
を備え、
前記制御部は、
前記読取部で読み取った画像と前記読み取りの属性情報とを関連付けて前記記憶部に記憶させ、
取り忘れ原稿の読み取り指示を受けた場合は、前記読取部に原稿を読み取らせると共に、その原稿の画像と一致する画像を前記記憶部の中から検出して取り忘れ画像に設定し、
印刷出力させる取り忘れ原稿の検索条件が前記入力部から入力された場合は、前記入力された検索条件に一致する画像を前記記憶部に記憶されている取り忘れ画像の中から検索し、その検索された取り忘れ画像を選択肢とする印刷対象の選択画面を前記表示部に表示させる
ことを特徴とする画像形成装置。
【請求項３】
前記属性情報は、印刷の時刻、枚数、ジョブ名、印刷を指示したユーザの識別情報の中の少なくとも１つの項目を含んで構成され、
前記検索条件は前記属性情報である
ことを特徴とする請求項１に記載の画像形成装置。
【請求項４】
前記属性情報は、読み取りの時刻、枚数、ジョブ名、読み取りを指示したユーザの識別情報の中の少なくとも１つの項目を含んで構成され、
前記検索条件は前記属性情報である
ことを特徴とする請求項２に記載の画像形成装置。
【請求項５】
前記制御部は、入力された検索条件に一致する取り忘れ画像を検索できなかった場合は、前記記憶部に記憶されているすべての取り忘れ画像を選択肢とする印刷対象の選択画面を前記表示部に表示させる
ことを特徴とする請求項１乃至４のいずれか１つに記載の画像形成装置。
【請求項６】
前記制御部は、入力された検索条件がユーザの識別情報を含まない場合であってその検索条件に一致する取り忘れ画像を検索できなかった場合は、前記記憶部に記憶されている取り忘れ画像のうち、関連付けされている属性情報にユーザの識別情報を含まないすべての取り忘れ画像を選択肢とする前記選択画面を前記表示部に表示させる
ことを特徴とする請求項１または２に記載の画像形成装置。
【請求項７】
取り忘れの事実をユーザに通知する通知手段をさらに備え、
前記制御部は、前記記憶部に記憶されている画像を取り忘れ画像に設定した場合であってその取り忘れ画像に関連付けされている属性情報にユーザの識別情報が含まれている場合は、そのユーザに対して取り忘れの事実を通知する
ことを特徴とする請求項１乃至６のいずれか１つに記載の画像形成装置。
【請求項８】
通信可能に接続された画像形成装置とサーバとを有する画像形成システムであって、
前記画像形成装置は、印刷部と、原稿画像を光学的に読み取る読取部と、検索条件の入力を受ける入力部と、表示部とを備え、
前記サーバは、記憶部を備え、
前記画像形成装置は、前記印刷部によって印刷された画像と前記印刷の属性情報とを前記サーバに送信し、
前記画像と前記属性情報とを受信した前記サーバは、該画像と属性情報とを関連付けて前記記憶部に記憶し、
前記画像形成装置は、取り忘れ原稿の読み取り指示を受けた場合は、前記読取部に原稿を読み取らせると共に、その原稿の画像を前記サーバに送信し、
前記原稿の画像を受信した前記サーバは、該原稿の画像と一致する画像を前記記憶部の中から検出して取り忘れ画像に設定し、
前記画像形成装置は、印刷出力させる取り忘れ原稿の検索条件が前記入力部から入力された場合は、その入力された検索条件を前記サーバに送信し、
前記検索条件を受信した前記サーバは、該検索条件に一致する画像を前記記憶部に記憶されている取り忘れ画像の中から検索し、その検索結果を前記画像形成装置に送信し、
前記検索結果を受信した前記画像形成装置は、該検索結果に基づいて、前記検索された取り忘れ画像を選択肢とする印刷対象の選択画面を前記表示部に表示する
ことを特徴とする画像処理システム。
【請求項９】
通信可能に接続された画像形成装置とサーバとを有する画像形成システムであって、
前記画像形成装置は、印刷部と、原稿画像を光学的に読み取る読取部と、検索条件の入力を受ける入力部と、表示部とを備え、
前記サーバは、記憶部を備え、
前記画像形成装置は、前記読取部で読み取った画像と前記読み取りの属性情報とを前記サーバに送信し、
前記画像と前記属性情報とを受信した前記サーバは、該画像と属性情報とを関連付けて前記記憶部に記憶し、
前記画像形成装置は、取り忘れ原稿の読み取り指示を受けた場合は、前記読取部に原稿を読み取らせると共に、その原稿の画像を前記サーバに送信し、
前記原稿の画像を受信した前記サーバは、該原稿の画像と一致する画像を前記記憶部の中から検出して取り忘れ画像に設定し、
前記画像形成装置は、印刷出力させる取り忘れ原稿の検索条件が前記入力部から入力された場合は、その入力された検索条件を前記サーバに送信し、
前記検索条件を受信した前記サーバは、該検索条件に一致する画像を前記記憶部に記憶されている取り忘れ画像の中から検索し、その検索結果を前記画像形成装置に送信し、
前記検索結果を受信した前記画像形成装置は、該検索結果に基づいて、前記検索された取り忘れ画像を選択肢とする印刷対象の選択画面を前記表示部に表示する
ことを特徴とする画像処理システム。
【請求項１０】
前記属性情報は、印刷の時刻、枚数、ジョブ名、印刷を指示したユーザの識別情報の中の少なくとも１つの項目を含んで構成され、
前記検索条件は前記属性情報である
ことを特徴とする請求項８に記載の画像形成システム。
【請求項１１】
前記属性情報は、読み取りの時刻、枚数、ジョブ名、読み取りを指示したユーザの識別情報の中の少なくとも１つの項目を含んで構成され、
前記検索条件は前記属性情報である
ことを特徴とする請求項９に記載の画像形成システム。
【請求項１２】
前記サーバは、受信した検索条件に一致する取り忘れ画像を検索できなかった場合は、前記記憶部に記憶されているすべての取り忘れ画像を前記選択肢とする検索結果を前記画像形成装置に送信する
ことを特徴とする請求項８乃至１１のいずれか１つに記載の画像形成システム。
【請求項１３】
前記サーバは、受信した検索条件がユーザの識別情報を含まない場合であってその検索条件に一致する取り忘れ画像を検索できなかった場合は、前記記憶部に記憶されている取り忘れ画像のうち、関連付けされている属性情報にユーザの識別情報を含まないすべての取り忘れ画像を前記選択肢とする検索結果を前記画像形成装置に送信する
ことを特徴とする請求項８または９に記載の画像形成システム。
【請求項１４】
前記サーバは、前記記憶部に記憶されている画像を取り忘れ画像に設定した場合であってその取り忘れ画像に関連付けされている属性情報にユーザの識別情報が含まれている場合は、そのユーザに対して取り忘れの事実を通知する
ことを特徴とする請求項８乃至１３のいずれか１つに記載の画像形成システム。
【発明の詳細な説明】
【技術分野】
【０００１】
本発明は、複写機などの画像形成装置および画像形成システムに係り、特に放置されて取り忘れられた原稿や印刷物に係る機能を備えた画像形成装置および画像形成システムに関する。
【背景技術】
【０００２】
コピー機能やプリンタ機能を有する画像形成装置では、原稿や印刷物が原稿台や排紙トレイあるいは装置周辺に放置されて取り忘れられることがある。そこで、出力画像と出力ジョブの依頼主のユーザ情報を紐付けて記憶しておき、取り忘れられた印刷物をスキャナで読み取った場合に、その読み取った画像に一致する過去の出力画像を検出し、その出力画像に紐付けされているユーザ情報から取り忘れられた印刷物の持ち主を特定して提示する装置が考案されている（たとえば、特許文献１参照。）。
【０００３】
【特許文献１】特開２００７−２５１６０号公報
【発明の開示】
【発明が解決しようとする課題】
【０００４】
上記の技術では、取り忘れられた印刷物をスキャンさせたユーザ（ユーザＡとする）は、その印刷物の持ち主（ユーザＢとする）を知ることができるので、ユーザＡがその取り忘れられた印刷物をユーザＢに届けることができれば、特に問題は発生しない。
【０００５】
しかし、取り忘れられた印刷物の存在を電子メールなどで持ち主であるユーザＢに通知しただけで印刷物を届けない場合や、ユーザＡがユーザＢと面識がなく届けることができないといった場合には、取り忘れられた印刷物がそのまま画像形成装置の近くに放置されるおそれがある。
【０００６】
特に、取り忘れられた原稿や印刷物（これらを総称して取り忘れ原稿と呼ぶ。）の持ち主であるユーザＢが、登録ユーザではないが一時的に画像形成装置でのコピーが許可されたパブリックユーザの場合には、持ち主を特定して通知することができず、取り忘れ原稿が長時間放置される可能性が高い。
【０００７】
一方、近年は機密漏洩防止の厳格化から、取り忘れ原稿を見つけた場合は即座に粉砕して廃棄するように職場でルール化されることがある。このため、原稿の取り忘れに気付いたユーザＢが画像形成装置へ戻ってきた時には、取り忘れ原稿が既に粉砕・廃棄されており、取り忘れ原稿を取り戻すには再度の印刷やコピーを必要とする場合が生じ、その場合に、再度の印刷やコピーに係る手間が煩雑でユーザの負担が大きいという問題があった。
【０００８】
本発明は、上記の問題を解決しようとするものであり、取り忘れ原稿が見当たらない場合などにそれと同じ原稿のプリント出力を簡単に行うことのできる画像形成装置および画像形成システムを提供することを目的としている。
【課題を解決するための手段】
【０００９】
かかる目的を達成するための本発明の要旨とするところは、次の各項の発明に存する。
【００１０】
［１］印刷部と、
原稿画像を光学的に読み取る読取部と、
画像の記憶部と、
検索条件の入力を受ける入力部と、
表示部と、
制御部と、
を備え、
前記制御部は、
前記印刷部によって印刷された画像と前記印刷の属性情報とを関連付けて前記記憶部に記憶させ、
取り忘れ原稿の読み取り指示を受けた場合は、前記読取部に原稿を読み取らせると共に、その原稿の画像と一致する画像を前記記憶部の中から検出して取り忘れ画像に設定し、
印刷出力させる取り忘れ原稿の検索条件が前記入力部から入力された場合は、前記入力された検索条件に一致する画像を前記記憶部に記憶されている取り忘れ画像の中から検索し、その検索された取り忘れ画像を選択肢とする印刷対象の選択画面を前記表示部に表示させる
ことを特徴とする画像形成装置。
【００１１】
上記発明では、印刷時にその印刷した画像とその印刷の属性情報（たとえば、ジョブの実行日時、枚数、ジョブ種別などのジョブ情報やユーザ情報）とを関連付けて記憶部に記憶する。取り忘れ原稿の読み取り指示を受けた場合は、取り忘れ原稿を読み取り、該読み取った画像と一致する画像を記憶部の中から検出して取り忘れ画像に設定する。検索条件が入力された場合は、その検索条件に一致する画像を記憶部に記憶されている取り忘れ画像の中から検索し、その検索された取り忘れ画像を選択肢とする印刷対象の選択画面を表示部に表示させる。そして、この選択肢の中から選択された取り忘れ画像を印刷する。検索条件としては、ジョブの実行日時や枚数、ジョブ種、ユーザ情報などの属性情報が使用される。
【００１２】
［２］原稿画像を光学的に読み取る読取部と、
画像の記憶部と、
検索条件の入力を受ける入力部と、
表示部と、
制御部と、
を備え、
前記制御部は、
前記読取部で読み取った画像と前記読み取りの属性情報とを関連付けて前記記憶部に記憶させ、
取り忘れ原稿の読み取り指示を受けた場合は、前記読取部に原稿を読み取らせると共に、その原稿の画像と一致する画像を前記記憶部の中から検出して取り忘れ画像に設定し、
印刷出力させる取り忘れ原稿の検索条件が前記入力部から入力された場合は、前記入力された検索条件に一致する画像を前記記憶部に記憶されている取り忘れ画像の中から検索し、その検索された取り忘れ画像を選択肢とする印刷対象の選択画面を前記表示部に表示させる
ことを特徴とする画像形成装置。
【００１３】
上記発明では、原稿の読み取り時には、その読み取った画像とその読み取りの属性情報（たとえば、ジョブの実行日時、枚数、ジョブ種別などのジョブ情報やユーザ情報）とを関連付けて記憶部に記憶する。取り忘れ原稿の読み取り指示を受けた場合は、取り忘れ原稿を読み取り、その画像と一致する画像を記憶部の中から検出して取り忘れ画像に設定する。検索条件が入力された場合は、その検索条件に一致する画像を記憶部に記憶されている取り忘れ画像の中から検索し、その検索された取り忘れ画像を選択肢とする印刷対象の選択画面を表示部に表示させる。そして、この選択肢の中から選択された画像を印刷する。検索条件としては、ジョブの実行日時や枚数、ジョブ種、ユーザ情報などの属性情報が使用される。
【００１４】
［３］前記属性情報は、印刷の時刻、枚数、ジョブ名、印刷を指示したユーザの識別情報の中の少なくとも１つの項目を含んで構成され、
前記検索条件は前記属性情報である
ことを特徴とする［１］に記載の画像形成装置。
【００１５】
［４］前記属性情報は、読み取りの時刻、枚数、ジョブ名、読み取りを指示したユーザの識別情報の中の少なくとも１つの項目を含んで構成され、
前記検索条件は前記属性情報である
ことを特徴とする［２］に記載の画像形成装置。
【００１６】
［５］前記制御部は、入力された検索条件に一致する取り忘れ画像を検索できなかった場合は、前記記憶部に記憶されているすべての取り忘れ画像を選択肢とする印刷対象の選択画面を前記表示部に表示させる
ことを特徴とする［１］乃至［４］のいずれか１つに記載の画像形成装置。
【００１７】
上記発明では、入力された検索条件に一致する画像を検出できなかった場合は、すべての取り忘れ画像が印刷対象の選択肢として表示される。なお、検索条件が指定されない場合についても、すべての取り忘れ画像が印刷対象の選択肢として表示される。
【００１８】
［６］前記制御部は、入力された検索条件がユーザの識別情報を含まない場合であってその検索条件に一致する取り忘れ画像を検索できなかった場合は、前記記憶部に記憶されている取り忘れ画像のうち、関連付けされている属性情報にユーザの識別情報を含まないすべての取り忘れ画像を選択肢とする前記選択画面を前記表示部に表示させる
ことを特徴とする［１］または［２］に記載の画像形成装置。
【００１９】
上記発明では、検索条件としてユーザの識別情報以外の項目のみが入力され、かつその検索条件に一致する取り忘れ画像を検出できなかった場合は、関連付けされている属性情報にユーザ情報を含まない画像のすべてが印刷対象の選択肢にされる。属性情報にユーザ情報を含む画像は選択肢にされない。
【００２０】
［７］取り忘れの事実をユーザに通知する通知手段をさらに備え、
前記制御部は、前記記憶部に記憶されている画像を取り忘れ画像に設定した場合であってその取り忘れ画像に関連付けされている属性情報にユーザの識別情報が含まれている場合は、そのユーザに対して取り忘れの事実を通知する
ことを特徴とする［１］乃至［６］のいずれか１つに記載の画像形成装置。
【００２１】
上記発明では、属性情報に含まれているユーザ情報によって取り忘れ原稿の持ち主を特定できた場合は、その持ち主ユーザに対して取り忘れの事実が通知される。
【００２２】
［８］通信可能に接続された画像形成装置とサーバとを有する画像形成システムであって、
前記画像形成装置は、印刷部と、原稿画像を光学的に読み取る読取部と、検索条件の入力を受ける入力部と、表示部とを備え、
前記サーバは、記憶部を備え、
前記画像形成装置は、前記印刷部によって印刷された画像と前記印刷の属性情報とを前記サーバに送信し、
前記画像と前記属性情報とを受信した前記サーバは、該画像と属性情報とを関連付けて前記記憶部に記憶し、
前記画像形成装置は、取り忘れ原稿の読み取り指示を受けた場合は、前記読取部に原稿を読み取らせると共に、その原稿の画像を前記サーバに送信し、
前記原稿の画像を受信した前記サーバは、該原稿の画像と一致する画像を前記記憶部の中から検出して取り忘れ画像に設定し、
前記画像形成装置は、印刷出力させる取り忘れ原稿の検索条件が前記入力部から入力された場合は、その入力された検索条件を前記サーバに送信し、
前記検索条件を受信した前記サーバは、該検索条件に一致する画像を前記記憶部に記憶されている取り忘れ画像の中から検索し、その検索結果を前記画像形成装置に送信し、
前記検索結果を受信した前記画像形成装置は、該検索結果に基づいて、前記検索された取り忘れ画像を選択肢とする印刷対象の選択画面を前記表示部に表示する
ことを特徴とする画像処理システム。
【００２３】
上記発明では、印刷時には、その印刷した画像とその印刷の属性情報（たとえば、ジョブの実行日時、枚数、ジョブ種別などのジョブ情報やユーザ情報）とが画像形成装置からサーバに送信され、サーバはこれらを関連付けて記憶部に記憶する。取り忘れ原稿の読み取り指示を受けた場合、画像形成装置は取り忘れ原稿を読み取ってその画像をサーバに送信し、サーバはこの画像と一致する画像を記憶部の中から検出して取り忘れ画像に設定する。検索条件が入力された場合、画像形成装置はその検索条件をサーバに送信し、サーバはその検索条件に一致する画像を記憶部に記憶されている取り忘れ画像の中から検索してその検索結果を画像形成装置に返送する。画像形成装置は、サーバから受信したその検索結果に基づいて、該検索された取り忘れ画像を選択肢とする印刷対象の選択画面を表示部に表示させる。そして、この選択肢の中から選択された画像を印刷する。検索条件としては、ジョブの実行日時や枚数、ジョブ種、ユーザ情報などの属性情報が使用される。
【００２４】
［９］通信可能に接続された画像形成装置とサーバとを有する画像形成システムであって、
前記画像形成装置は、印刷部と、原稿画像を光学的に読み取る読取部と、検索条件の入力を受ける入力部と、表示部とを備え、
前記サーバは、記憶部を備え、
前記画像形成装置は、前記読取部で読み取った画像と前記読み取りの属性情報とを前記サーバに送信し、
前記画像と前記属性情報とを受信した前記サーバは、該画像と属性情報とを関連付けて前記記憶部に記憶し、
前記画像形成装置は、取り忘れ原稿の読み取り指示を受けた場合は、前記読取部に原稿を読み取らせると共に、その原稿の画像を前記サーバに送信し、
前記原稿の画像を受信した前記サーバは、該原稿の画像と一致する画像を前記記憶部の中から検出して取り忘れ画像に設定し、
前記画像形成装置は、印刷出力させる取り忘れ原稿の検索条件が前記入力部から入力された場合は、その入力された検索条件を前記サーバに送信し、
前記検索条件を受信した前記サーバは、該検索条件に一致する画像を前記記憶部に記憶されている取り忘れ画像の中から検索し、その検索結果を前記画像形成装置に送信し、
前記検索結果を受信した前記画像形成装置は、該検索結果に基づいて、前記検索された取り忘れ画像を選択肢とする印刷対象の選択画面を前記表示部に表示する
ことを特徴とする画像処理システム。
【００２５】
上記発明では、原稿の読み取り時には、その読み取った画像とその読み取りの属性情報（たとえば、ジョブの実行日時、枚数、ジョブ種別などのジョブ情報やユーザ情報）とが画像形成装置からサーバに送信され、サーバはこれらを関連付けて記憶部に記憶する。取り忘れ原稿の読み取り指示を受けた場合、画像形成装置は取り忘れ原稿を読み取ってその画像をサーバに送信し、サーバはこの画像と一致する画像を記憶部の中から検出して取り忘れ画像に設定する。検索条件が入力された場合、画像形成装置はその検索条件をサーバに送信し、サーバはその検索条件に一致する画像を記憶部に記憶されている取り忘れ画像の中から検索してその検索結果を画像形成装置に返送する。画像形成装置は、サーバから受信したその検索結果に基づいて、該検索された取り忘れ画像を選択肢とする印刷対象の選択画面を表示部に表示させる。そして、この選択肢の中から選択された画像を印刷する。検索条件としては、ジョブの実行日時や枚数、ジョブ種、ユーザ情報などの属性情報が使用される。
【００２６】
［１０］前記属性情報は、印刷の時刻、枚数、ジョブ名、印刷を指示したユーザの識別情報の中の少なくとも１つの項目を含んで構成され、
前記検索条件は前記属性情報である
ことを特徴とする［８］に記載の画像形成システム。
【００２７】
［１１］前記属性情報は、読み取りの時刻、枚数、ジョブ名、読み取りを指示したユーザの識別情報の中の少なくとも１つの項目を含んで構成され、
前記検索条件は前記属性情報である
ことを特徴とする［９］に記載の画像形成システム。
【００２８】
［１２］前記サーバは、受信した検索条件に一致する取り忘れ画像を検索できなかった場合は、前記記憶部に記憶されているすべての取り忘れ画像を前記選択肢とする検索結果を前記画像形成装置に送信する
ことを特徴とする［８］乃至［１１］のいずれか１つに記載の画像形成システム。
【００２９】
上記発明では、入力された検索条件に一致する画像を検出できなかった場合、サーバはすべての取り忘れ画像を選択肢とする検索結果を画像形成装置に返送し、画像形成装置はこの検索結果に基づき、すべての取り忘れ画像を印刷対象の選択肢とする選択画面を表示する。なお、検索条件が指定されない場合についても、すべての取り忘れ画像が印刷対象の選択肢として表示される。
【００３０】
［１３］前記サーバは、受信した検索条件がユーザの識別情報を含まない場合であってその検索条件に一致する取り忘れ画像を検索できなかった場合は、前記記憶部に記憶されている取り忘れ画像のうち、関連付けされている属性情報にユーザの識別情報を含まないすべての取り忘れ画像を前記選択肢とする検索結果を前記画像形成装置に送信する
ことを特徴とする［８］または［９］に記載の画像形成システム。
【００３１】
上記発明では、検索条件としてユーザの識別情報以外の項目のみが入力され、かつその検索条件に一致する取り忘れ画像を検出できなかった場合は、関連付けされている属性情報にユーザ情報を含まない画像のすべてが印刷対象の選択肢にされる。
【００３２】
［１４］前記サーバは、前記記憶部に記憶されている画像を取り忘れ画像に設定した場合であってその取り忘れ画像に関連付けされている属性情報にユーザの識別情報が含まれている場合は、そのユーザに対して取り忘れの事実を通知する
ことを特徴とする［８］乃至［１３］のいずれか１つに記載の画像形成システム。
【発明の効果】
【００３３】
本発明に係る画像形成装置および画像形成システムによれば、原稿台に放置した原稿や排紙トレイに放置した印刷物などの取り忘れ原稿を取りに戻った場合などに、その取り忘れ原稿が見当たらないときは、それと同じ原稿や印刷物のプリント出力を簡単に得ることができる。
【発明を実施するための最良の形態】
【００３４】
以下、図面に基づき本発明の各種実施の形態を説明する。
【００３５】
図１は、本発明の第１の実施の形態に係る画像形成装置１０の概略構成を示している。画像形成装置１０は、原稿画像を光学的に読み取ってその複製画像を記録紙に印刷するコピー機能、読み取った原稿の画像データをファイルにして保存したり外部端末へ送信したりするスキャン機能、外部端末から受信した印刷データに基づいてラスタライズした画像を記録紙に印刷して出力するプリンタ機能、画像データを送受信するファクシミリ機能などを備えた、所謂、複合機として構成されている。
【００３６】
また画像形成装置１０は、取り忘れられた原稿や取り忘れられた印刷物（これらを総称して取り忘れ原稿と呼ぶ。）が廃棄などされた場合でも、その取り忘れ原稿と同じ印刷物を出力し得る機能を備えている。
【００３７】
画像形成装置１０は、当該画像形成装置１０の動作を統括制御するＣＰＵ（Central Processing Unit）１１にバス１２を介して、読取部１３と、印刷部１４と、ＲＯＭ（Read Only Memory）１５と、ＲＡＭ（Random Access Memory）１６と、不揮発メモリ１７と、ユーザ認証入力部１８と、操作表示部１９と、画像処理部２１と、ネットワークＩ／Ｆ部２２と、ファクシミリ通信制御部２３と、大容量かつ不揮発の記憶装置であるハードディスク装置２４とを接続して構成される。
【００３８】
ＲＯＭ１５には各種のプログラムが格納されており、これらのプログラムに従ってＣＰＵ１１が処理を実行することにより画像形成装置１０としての各機能が実現される。ＲＡＭ１６はＣＰＵ１１がプログラムを実行する際に各種のデータを一時的に格納するワークメモリや画像データを格納する画像メモリとして使用されるランダム・アクセス・メモリである。
【００３９】
不揮発メモリ１７には、ユーザ情報や使用度数を示すカウンタなど電源がオフしても保存しておくべき各種の情報が記憶される。たとえば、ユーザ情報として、各ユーザを一意に特定するユーザＩＤ、ユーザ認証に使用されるパスワード、そのユーザの電子メールアドレスなどが登録される。
【００４０】
読取部１３は、原稿を光学的に読み取って画像データを取得する機能を果たす。また、自動原稿搬送装置を備え、原稿台にセットされた原稿束から原稿を１枚ずつ給紙して複数枚の原稿を自動的に順次読み取る機能を備えている。読取部１３は、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４１】
印刷部１４は、入力される画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の画像形成方式のプリンタであっても構わない。
【００４２】
操作表示部１９は、押下された座標位置を検出するタッチパネルを表面に備えた液晶ディスプレイ（ＬＣＤ…Liquid Crystal Display）とテンキーやスタートボタンなど各種操作スイッチとから構成され、各種の操作画面や設定画面、選択画面、案内画面などを表示したり、ユーザからユーザ認証用の情報（ユーザＩＤとパスワード）、検索条件、印刷対象の選択など各種の操作を受け付けたりする。
【００４３】
画像処理部２１は、印刷データをイメージデータに変換するラスタライズ処理、画像データを圧縮して暗号化する圧縮暗号化処理、圧縮暗号化された画像データの復号化および伸張を行う復元復号化処理、画像の回転処理などを行う。
【００４４】
ネットワークＩ／Ｆ部２２は、ＬＡＮ（Local Area Network）やインターネットなどのネットワークと接続してネットワーク上の各種装置と通信する機能を果たす。ファクシミリ通信制御部２３は、ファクシミリ送信やファクシミリ受信のための通信制御、発呼（ダイアル）、着呼、電話回線との接続などを行う。
【００４５】
ハードディスク装置２４には、印刷データや画像データなどが保存される。ここでは、コピーやファクシミリ送信などにおいて読み取った原稿の画像データや印刷出力に使用された画像データと、そのコピーやファクシミリ送信あるいは印刷出力に係る属性情報とが関連付けて記憶される、属性情報には、ジョブ情報（たとえば、ジョブの実行日時、原稿枚数や印刷枚数、ジョブの種別など）やそのジョブを依頼したユーザのユーザ情報（ユーザＩＤなど）などがある。
【００４６】
ユーザ認証入力部１８は、生体認証情報、パスワード、ユーザＩＤなどユーザを認証するために必要な情報を入力する機能を果たす。ユーザ認証入力部１８は、画像形成装置１０に別途設けられた、生体認証ユニット（指紋認証、静脈認証など）や、ユーザが所有するカード（ＩＣチップ入り）を読み取るカードリーダー（接触式でも非接触式でもよい）などの入力装置で構成される。なお、操作表示部１９からユーザＩＤ、パスワードなどの入力を受け、操作表示部１９をユーザ認証入力部１８とする構成でもよい。
【００４７】
次に、画像形成装置１０の動作を説明する。
【００４８】
画像形成装置１０は、操作表示部１９を通じてユーザからジョブの依頼を受け付ける前に、そのユーザが使用権限を有するユーザか否かを認証（ユーザ認証）する。ユーザ認証は、入力されたユーザＩＤとパスワードとを予め記憶している認証データと照合して行うほか、たとえば、ユーザＩＤなどユーザ認証用の情報の登録されたＩＤカードの読み取りや読み取った生体情報の照合などによって行われる。ユーザ認証に成功すると、そのユーザの設定で、コピージョブや、ファクシミリ送信ジョブなどの実行が可能になると共に、ジョブの履歴がそのユーザと対応付けて記録される。
【００４９】
コピーについては、ユーザ認証することなく、使用することも可能になっている。ユーザ認証されない使用者はパブリックユーザとして扱われ、パブリックユーザが行ったジョブの履歴はパブリックユーザ（特定されないユーザ）の履歴として記憶される。
【００５０】
コピージョブでは、読取部１３で原稿を読み取って得た画像データは、画像処理部２１で必要な画像処理が施された後、ＲＡＭ１６あるいはハードディスク装置２４に一旦保存される。保存された画像データは順次読み出されて印刷部１４へ出力され、印刷部１４は入力された画像データに対応する画像を記録紙上に形成して印刷出力する。
【００５１】
プリントジョブでは、ネットワークＩ／Ｆ部２２を通じて外部端末から印刷データを受信し、この印刷データを画像処理部２１でラスタライズしてビットマップ形式の画像データを生成する。このビットマップ形式の画像データはＲＡＭ１６あるいはハードディスク装置２４に一旦保存された後、順序読み出されて印刷部１４へ出力されて印刷出力される。なお、プリントジョブでは、印刷データのヘッダなどに当該プリントジョブを依頼したユーザを特定可能な情報（ユーザ情報）が付加されており、この情報に基づいて、ジョブの依頼主のユーザを認証(特定)するようになっている。
【００５２】
スキャンジョブでは、読取部１３で原稿を読み取って得た画像データは、ファイル化されてハードディスク装置２４に保存される、もしくはそのファイルが外部端末にネットワークＩ／Ｆ部２２を通じて送信される。
【００５３】
ファクシミリ送信ジョブでは、読取部１３で原稿を読み取って得た画像データは、画像処理部２１で必要な処理が施された後、圧縮されてファクシミリ通信制御部２３から相手機へ送信される。
【００５４】
ファクシミリ受信ジョブでは、ファクシミリ通信制御部２３を通じて相手機から受信したデータを復号化してイメージ形式の画像データにし、これを印刷部１４で印刷するといった動作が行われる。
【００５５】
このような各種ジョブにおいて読取部１３で読み取った原稿や印刷部１４から印刷出力した印刷物は、取り忘れられて、読取部１３の原稿排紙トレイやプラテンガラス上、印刷部１４の排紙トレイ、あるいは画像形成装置１０の周辺に退けられて放置される場合がある。画像形成装置１０は、このような取り忘れ原稿が廃棄された場合でも、それと同じ印刷物を印刷出力して再生する機能を備えている。
【００５６】
図２は、取り忘れ原稿の再生に関連する画像形成装置１０の概略動作を示している。図２（ａ）に示すように、通常モードでコピージョブ、プリントジョブなどが行われたとき、画像形成装置１０は、その読み取った原稿の画像あるいは印刷出力した画像の画像データＦとその読み取りや印刷に係る属性情報Ｊ（ジョブ情報やそのジョブを依頼したユーザのユーザ情報）とを関連付けてハードディスク装置２４に記憶する（Ｐ１）。該関連付けて記憶することを「参照保存」と呼ぶことにする。
【００５７】
放置されている取り忘れ原稿に気付いた親切なユーザは、操作表示部１９に表示される図３の動作モード設定画面３０において取り忘れ通知釦３１を押下して取り忘れ通知モードに設定した後、その取り忘れ原稿を画像形成装置１０に読み取らせる。
【００５８】
図２（ｂ）に示すように、取り忘れ通知モードでは、画像形成装置１０は読取部１３にセットされた取り忘れ原稿を読み取る（Ｐ２）と共に、その原稿の画像（画像データ）とハードディスク装置２４に参照保存されている画像（画像データ）とを比較し、参照保存されている中で一致する画像を「取り忘れ画像」に設定する（Ｐ３）。また、この取り忘れ画像に関連付けされている属性情報Ｊにユーザ情報が含まれている場合は、今回読み取った取り忘れ原稿の持ち主のユーザを特定できるので、そのユーザに取り忘れの事実を、たとえば電子メールで通知する（Ｐ４）。
【００５９】
取り忘れ原稿の持ち主ユーザは、その原稿を取りに戻ったが近くに見当たらない場合などに図３の動作モード設定画面３０の再プリント釦３２を押下して再プリントモードを設定することで、その取り忘れ原稿を印刷出力させることができる。
【００６０】
再プリントモードでは、図２（ｃ）に示すように、操作表示部１９などから取り忘れ原稿の検索条件（ユーザ情報やジョブ情報などの属性情報）が入力される（Ｐ５）。画像形成装置１０はその入力された検索条件に一致する画像をハードディスク装置２４に参照保存されている取り忘れ画像の中から検索する。そして、検索された取り忘れ画像を選択肢とする印刷対象の選択画面を操作表示部１９に表示し（Ｐ６）、その中からユーザにより選択された画像を印刷出力する（Ｐ７）。これにより、ユーザは粉砕廃棄などされた取り忘れ原稿と同じ印刷物を入手することができる。
【００６１】
以後、図２（ａ）〜（ｃ）に示した各動作についてより詳細に説明する。
【００６２】
図４は、コピージョブやプリントジョブなどのジョブを実行する際に画像形成装置１０が行う取り忘れ通知に関連する処理の流れを示している。画像形成装置１０の動作モードはデフォルトでは通常モードであり、コピージョブやプリントジョブなどを行うときの動作モードは通常モードになっている。
【００６３】
実行するジョブがプリントジョブの場合は（ステップＳ１０１；Ｙｅｓ）、印刷データのヘッダなどに付加されているユーザ情報からこのジョブの依頼主のユーザを特定できるので、その特定したユーザ情報と、当該プリントジョブのジョブ情報と、受信した印刷データをラスタライズして得た画像データとを関連付けてハードディスク装置２４に記憶（参照保存）する（ステップＳ１０３）。
【００６４】
一方、プリントジョブでない場合は(ステップＳ１０１；Ｎｏ)、ユーザ認証されているか否かを判別し（ステップＳ１０２）、ユーザ認証されている場合は(ステップＳ１０２；Ｙｅｓ)、そのユーザ認証で特定されたユーザのユーザ情報と当該ジョブのジョブ情報と当該ジョブで読み取りあるいは印刷した画像の画像データとを関連付けてハードディスク装置２４に記憶（参照保存）する（ステップＳ１０３）。
【００６５】
ユーザ認証されていない場合、すなわち、今回のジョブがパブリックユーザによるコピージョブなどの場合は、ユーザ情報を入手していないので、当該ジョブのジョブ情報と当該ジョブで読み取りあるいは印刷した画像の画像データとを関連付けてハードディスク装置２４に記憶（参照保存）する（ステップＳ１０４）。
【００６６】
図５は、取り忘れ通知モードでの画像形成装置１０の動作を示している。たとえば、原稿排紙トレイやプラテンガラス上、印刷部１４の排紙トレイ、あるいは画像形成装置１０の周辺に退けられて放置されている取り忘れ原稿を見つけた親切なユーザによってその取り忘れ原稿が読取部１３にセットされた後、動作モード設定画面３０の取り忘れ通知釦３１が押下されると、画像形成装置１０は図５に示す処理を開始する。
【００６７】
画像形成装置１０は、セットされている取り忘れ原稿の画像を読取部１３で読み取る（ステップＳ２０１）。ＣＰＵ１１は、その読み取った画像の画像データとハードディスク装置２４に既に参照保存されている各画像データとを比較し、一致する画像データを検出する（ステップＳ２０２）。画像データの比較はマッチング処理などによって行う。
【００６８】
一致する画像データが検出されなかった場合は（ステップＳ２０２；Ｎｏ）、「取り忘れ原稿ではありません」といった表示を行って（ステップＳ２０４）本処理を終了する（エンド）。
【００６９】
一致する画像データを検出した場合は（ステップＳ２０２；；Ｙｅｓ）、参照保存されているその一致した画像データに関連付けされている属性情報の中にユーザ情報が含まれているか否かを調べる（ステップＳ２０５）。ユーザ情報が含まれている場合は（ステップＳ２０５；Ｙｅｓ）、そのユーザ情報（これを、検出ユーザ情報とする。）の示すユーザに原稿の取り忘れを、たとえば電子メールで通知する（ステップＳ２０６）。
【００７０】
さらに、参照保存されているその一致した画像データを「取り忘れ画像」に設定する。ここでは、「取り忘れ画像」に設定する動作として、検出ユーザに専用のボックス（ユーザボックス）を作成し、該ユーザボックスへ、前記一致した画像データとこれに関連付けされている属性情報とを移動させて保存する（ステップＳ２０７）ことを行う。なお、ボックスとは、ユーザ別やグループ別に設けられた、画像データ等の格納場所である。
【００７１】
一致した画像データに関連付けされている属性情報の中にユーザ情報が含まれていない場合は（ステップＳ２０５；Ｎｏ）、その一致した画像データを「取り忘れ画像」に設定する。ここでは、「取り忘れ画像」に設定する動作として、予め作成されているパブリックユーザ用のボックスである公開取り忘れボックスに、その一致した画像データとこれに関連付けされている属性情報とを移動させて保存する（ステップＳ２０８）ことを行う。
【００７２】
なお、ステップＳ２０２以降の処理は、読取部１３で複数枚の取り忘れ原稿を読み取った場合はそのすべての取り忘れ原稿を対象に行われる。
【００７３】
図６は、図５のステップＳ２０６において取り忘れ原稿の持ち主のユーザに送信される取り忘れ通知用の電子メール４０の一例を示している。電子メール４０の内容部は、ユーザ名（４１）のほか、取り忘れの事実や当該画像形成装置１０の設置場所を示す情報（４２）、ジョブの種別（４３）、出力日時（４４）、排紙トレイなどの場所（４５）、取り忘れ原稿の一部（４６）などが含まれる。その他のジョブ情報を含めてもよい。
【００７４】
図７は、取り忘れ通知モードで読み取った原稿と一致する取り忘れ画像の一覧の印刷例をしている。この取り忘れ原稿一覧５０は、取り忘れ通知モードで原稿を読み取らせた後、図示省略の一覧プリント釦を操作すると印刷される。
【００７５】
取り忘れ原稿一覧５０には、取り忘れ画像の縮小画像（サムネイル）５１、５２が配列され、かつそれぞれの縮小画像５１、５２に対応させて、その取り忘れ画像に関連つけされている属性情報が表記される。
【００７６】
詳細には、ユーザ情報が関連つけされている画像については、そのユーザ情報（ユーザ名）とジョブ情報（ジョブの種類など）とが縮小画像５１に併記される。持ち主ユーザを特定できなかった画像については、時刻などのジョブ情報のみが縮小画像５２に併記される。取り忘れ通知モードで原稿を読み取らせたユーザは取り忘れ原稿一覧５０を見て、たとえば、ユーザの特定されている取り忘れ原稿の中に自分の近くの席の人のものがあれば、それを持ち主に届けたり、取り忘れ原稿の存在を知らせたりすることができる。ユーザの特定されなかった取り忘れ原稿や届けることのできなかった取り忘れ原稿については、たとえば、再び画像形成装置１０の周辺などに放置されたり、職場のルールにより粉砕・廃棄されたりする。
【００７７】
次に、再プリントモードの動作を説明する。図４の動作モード設定画面３０の再プリント釦３２を操作すると再プリントモードに移行する。たとえば、取り忘れの通知を受けたり、自ら取り忘れに気付いたりしたユーザが画像形成装置１０へ取り忘れ原稿を取りに戻った際に、その取り忘れ原稿が廃棄などされて見つからず、取り忘れ原稿と同じ印刷物を印刷出力させたい場合に再プリントモードが選択される。
【００７８】
図８は、再プリントモードにおける画像形成装置１０の動作を示している。再プリントモードが選択されると、ＣＰＵ１１は、図９に示すユーザＩＤ入力画面６１を操作表示部１９に表示させ、ユーザからユーザ認証情報の入力を求める（ステップＳ２５１）。たとえば、ユーザＩＤとパスワードが入力される。
【００７９】
ユーザＩＤなどのユーザ認証情報が入力された場合は（ステップＳ２５１；Ｙｅｓ）、その入力されたユーザ認証情報によりユーザ認証し、ユーザ認証に成功しない場合は（ステップＳ２５２；Ｎｏ）、その旨のエラー表示を行って（ステップＳ２５４）処理を終了する。
【００８０】
ユーザ認証に成功した場合は（ステップＳ２５２；Ｙｅｓ）、その認証されたユーザの取り忘れ画像が保存されているユーザボックスが存在するか否かを調べ（ステップＳ２５３）、存在しない場合は（ステップＳ２５３；Ｎｏ）、その旨のエラー表示を行って（ステップＳ２５４）処理を終了する。
【００８１】
認証されたユーザのユーザボックスが存在する場合は（ステップＳ２５３；Ｙｅｓ）、そのユーザボックスに保存されている取り忘れ画像のリストを操作表示部１９に表示させる（ステップＳ２５５）。すなわち、ユーザを検索条件として取り忘れ画像を検索した結果をリスト表示したことになる。
【００８２】
図１０は、ユーザボックスに保存されている取り忘れ画像のリストを表示したユーザ取り忘れ画像選択画面６３の一例を示している。ユーザ取り忘れ画像選択画面６３は、認証されたユーザ（ここでは、ユーザＩＤ「００２」のユーザ）のユーザボックスに保存されている取り忘れ画像が印刷対象の画像の選択肢としてリスト表示される。該リスト６４には、取り忘れ画像毎に、識別番号、ジョブ種別、ジョブの実行された時刻などが表示される。これらの情報はその取り忘れ画像に関連付けされている属性情報から生成される。
【００８３】
ユーザはユーザ取り忘れ画像選択画面６３のリスト６４の中から任意の取り忘れ画像を、たとえば、その表示箇所を押下することで、印刷対象に選択することができ、選択した状態でＯＫ釦６５を押下することにより、その選択した取り忘れ画像の印刷出力を指示することができる。
【００８４】
ＣＰＵ１１は、印刷指示を受けた場合は（ステップＳ２６０；Ｙｅｓ）、選択された取り忘れ画像をユーザボックスから読み出し印刷部１４に印刷させて（ステップＳ２６１）処理を終了する。リスト６４にて何も選択されない状態でＯＫ釦６５が押下されると、印刷指示なしと判断し（ステップＳ２６０；Ｎｏ）、処理を終了する。
【００８５】
一方、ユーザＩＤが入力されない場合は（ステップＳ２５１；Ｎｏ）、図１１に示す検索条件入力画面７０を操作表示部１９に表示させ、ユーザから印刷出力させる取り忘れ原稿の検索条件の入力を受け付ける（ステップＳ２５６）。検索条件入力画面７０では、取り忘れ原稿に係るジョブの実行された日時（期間）、原稿枚数、ジョブ種別などの中から任意数の項目について検索条件を入力することができる。検索条件として入力可能な項目は、属性情報として記憶されている項目の中の任意のものでよい。
【００８６】
ユーザから検索条件の入力を受けた場合は（ステップＳ２５６；Ｙｅｓ）、該検索条件に一致する画像を公開取り忘れボックスに記憶されている取り忘れ画像の中から検索する（ステップＳ２５７）。詳細には、公開取り忘れボックスに記憶されている各画像に関連つけされている属性情報と入力された検索とを比較し、一致する画像を抽出する。
【００８７】
一致する画像を検索できた場合は（ステップＳ２５７；Ｙｅｓ）、その一致した画像を選択肢とする印刷対象の選択画面を操作表示部１９に表示させる（ステップＳ２５９）。図１２（ａ）は、公開取り忘れボックスの保存されている取り忘れ画像の中で検索条件に一致した取り忘れ画像のリスト７６を表示した公開取り忘れ画像選択画面（一致）７５の一例を示している。図１２（ａ）の例は、検索条件として、日時の期間「１０：００から１１：００」が入力された場合の検索結果を示している。リスト７６には、取り忘れ画像毎に、識別番号、ジョブ種別、ジョブの実行された時刻などが表示される。これらの情報は取り忘れ画像に関連付けされている属性情報から生成される。
【００８８】
入力された検索条件に一致する取り忘れ画像がなかった場合は（ステップＳ２５７；Ｎｏ）、図１２（ｂ）に示すように、公開取り忘れボックスに記憶されているすべての取り忘れ画像を選択肢とする印刷対象の選択画面（公開取り忘れ画像選択画面（全画像）７５Ｂ）を操作表示部１９に表示させる（ステップＳ２５８）。
【００８９】
公開取り忘れ画像選択画面（一致）７５もしくは公開取り忘れ画像選択画面（全画像）７５Ｂにおいてユーザはリスト７６の中から任意の取り忘れ画像を、たとえば、その表示箇所を押下することで、印刷対象に選択することができる。選択した状態でＯＫ釦７７を押下することで、その選択した取り忘れ画像の印刷出力を指示することができる。
【００９０】
ＣＰＵ１１は、印刷指示を受けた場合は（ステップＳ２６０；Ｙｅｓ）、選択された取り忘れ画像を公開取り忘れボックスから読み出して印刷部１４に印刷させて（ステップＳ２６１）処理を終了する。リスト７６にて何も選択されない状態でＯＫ釦７７が押下されると、印刷指示なしと判断し（ステップＳ２６０；Ｎｏ）、処理を終了する。
【００９１】
このように、再プリントモードにおいてユーザ情報が入力された場合は、そのユーザのユーザボックスに記憶されている取り忘れ原稿の画像を、再プリントモードでの印刷対象の選択肢としてリスト表示するので、ユーザは自分の取り忘れ原稿を容易に見出し選択して、印刷出力させることができる。また、ユーザ情報に関連付けされている取り忘れ画像は、そのユーザ情報が入力された場合にのみ印刷対象のリスト６４に表示されるので、他人に印刷出力されるおそれがなく、セキュリティを確保することができる。
【００９２】
ユーザ情報が入力されない場合は、ジョブの実行時間やジョブ種などを検索条件として公開取り忘れボックスの中から自分の取り忘れ原稿に相当する画像を検索することができるので、パブリックユーザであっても自分の取り忘れ原稿を容易に見出し選択して、印刷出力させることができる。さらに、検索条件を入力しない場合は、公開取り忘れボックス内のすべての取り忘れ画像が印刷対象の選択肢としてリスト表示されるので、検索条件となる情報を思い出せない場合でもユーザはリストに表示された情報を頼りに自分の取り忘れ画像を探し出すことができる。
【００９３】
また、検索条件を入力した場合には、その検索条件に一致する取り忘れ画像のみがリスト表示されるので、他人の取り忘れ画像がリスト表示され難くなり、すべての取り忘れ画像をリスト表示する場合に比べて、セキュリティが向上する。
【００９４】
なお、ユーザ情報が入力された場合にも、さらにジョブの実行日時などの検索条件を入力してリスト表示される取り忘れ画像を絞り込みできるように構成されてもよい。
【００９５】
また、既に、ユーザボックスに取り忘れ原稿の画像が記憶されている状態で、そのユーザが当該画像形成装置１０にログイン（ユーザ認証）したとき、そのユーザに対して取り忘れ原稿の存在を通知してもよい。たとえば、図１３（ａ）に示す取り忘れ警告画面８０を操作表示部１９に表示する。さらに、取り忘れ警告画面８０にて詳細表示釦８１が押下されると、図１３（ｂ）に示す詳細画面８３を操作表示部１９に表示し、ここでプリント釦８４が押下されると、当該通知した取り忘れ原稿の画像を印刷出力するように構成してもよい。
【００９６】
次に、第２の実施の形態について説明する。
【００９７】
図１４は、本発明の第２の実施の形態に係る画像形成システム３００のシステム構成例を示している。画像形成システム３００は、画像形成装置３１０とサーバ３２０とをネットワーク３０１で接続して構成される。さらにネットワーク３０１には、パーソナルコンピュータなどで構成された各ユーザの端末装置３０３が接続されている。
【００９８】
画像形成システム３００は、第１の実施の形態で示した画像形成装置１０の取り忘れ原稿に関する機能を、画像形成装置３１０とサーバ３２０とに機能分散させて備えている。詳細には、画像形成装置３１０にて通常モードで読み取った画像や印刷出力された画像の画像データと属性情報とを関連付けて参照保存する機能、取り忘れ通知モードで読み取られた画像を比較し、参照保存されている画像の中で一致する画像を取り忘れ画像に設定する機能、再プリントモードで入力されたユーザ情報や検索条件に基づいて取り忘れ画像を検索する機能などをサーバ３２０が担うように機能分散されている。画像形成装置３１０に表示される画面や取り忘れユーザに通知される電子メールの内容などは第１の実施の形態と同様である。
【００９９】
画像形成装置３１０のハードウェア構成は図１に示した画像形成装置１０と同様であり、その説明は省略する。また、以後の説明における属性情報や参照保存などの意味は第１の実施の形態と同様である。
【０１００】
図１５は、サーバ３２０の概略構成を示している。サーバ３２０は、当該サーバ３２０の動作を統括制御する制御部としての機能を果たすＣＰＵ３２１を備えている。ＣＰＵ３２１にはバス３２２を通じてプログラムメモリ３２３と、システムメモリ３２４と、操作表示部３２５と、ハードディスク装置３２６と、ネットワークＩ／Ｆ部３２７などが接続されている。
【０１０１】
プログラムメモリ３２３はプログラムを格納し、このプログラムに従ってＣＰＵ３２１が各種の処理を実行する。システムメモリ３２４はＣＰＵ３２１がプログラムを実行する際に各種のデータを一時的に格納するワークメモリなどとして使用される。操作表示部３２５は、液晶ディスプレイなどの表示装置とキーボード、マウスなどユーザ操作の入力装置とから構成される。
【０１０２】
ハードディスク装置３２６は大容量の不揮発記憶装置であり、画像データと属性情報（ユーザ情報やジョブ情報など）とを関連付けて参照保存する際の保存先、ユーザボックスや公開取り忘れボックスの記憶として使用される。ネットワークＩ／Ｆ部３２７は、ネットワーク３０１を通じて画像形成装置３１０や端末装置３０３と通信する機能を果たす。
【０１０３】
次に、画像形成システム３００における取り忘れ原稿に関連する動作を図１６に基づいて説明する。画像形成装置３１０は、通常モードにてコピージョブ、プリントジョブなどのジョブを実行すると（ステップＳ４０１）、そのジョブで読み取った画像あるいは印刷した画像の画像データとその読み取りあるいは印刷に係る属性情報（ユーザ情報があればユーザ情報とジョブ情報、ユーザ情報がなければジョブ情報）とをサーバ３２０に送信する（ステップＳ４０２）。
【０１０４】
これを受信したサーバ３２０は、その受信した画像データと属性情報とを関連付けてハードディスク装置３２６に記憶（参照保存）する（ステップＳ４０３）。
【０１０５】
画像形成装置３１０は、図３の取り忘れ通知釦３１が操作されて取り忘れ通知モードに設定された状態で取り忘れ原稿の読み取り指示を受けると、その取り忘れ原稿を読取部１３で読み取る（ステップＳ４０４）と共に、その取り忘れ原稿の画像データをサーバ３２０に送信する（ステップＳ４０５）。
【０１０６】
取り忘れ通知モードで読み取られた取り忘れ原稿の画像データを受信したサーバ３２０は、該受信した画像データと一致する画像データをハードディスク装置３２６に参照保存されている画像データの中から検出し、これを取り忘れ画像に設定する（ステップＳ４０６）。
【０１０７】
詳細には、検出された画像データに関連付けされて記憶されている属性情報にユーザ情報が含まれている場合はそのユーザ情報の示すユーザボックス（無ければ新たに作成する）に当該検出された画像データおよび属性情報を移動させる。また、そのユーザ情報の示すユーザに対して、取り忘れの事実を電子メールなどで通知する。また、サーバ３２０は該検出の結果を画像形成装置３１０に通知し、画像形成装置３１０は該検出の結果を操作表示部１９に表示する。
【０１０８】
なお、ユーザ毎にその通知先のメールアドレスはサーバ３２０に予め登録されているものとする。また、持ち主のユーザへの電子メール４０による取り忘れ通知は画像形成装置３１０が行うように構成されてもよい。
【０１０９】
検出された画像データに関連付けられた属性情報にユーザ情報が含まれていない場合は、当該検出された画像データおよび属性情報を公開取り忘れボックスに移動させて記憶する。
【０１１０】
画像形成装置３１０は、図３の再プリント釦３２が操作されて再プリントモードに設定されると（ステップＳ４０７）、ユーザＩＤ入力画面６１にてユーザ認証情報の入力を受け付ける。ユーザ認証情報が入力されてユーザ認証に成功した場合はそのユーザ情報を付加した検索要求をサーバ３２０に送信する。ユーザ認証情報が入力されない場合は検索条件入力画面７０を表示し、検索条件入力画面７０にて検索条件の入力を受けた場合はその検索条件を付加した検索要求をサーバ３２０に送信する。ユーザ認証情報も検索条件も入力されない場合は「検索条件なし」を示す情報を付加した検索要求をサーバ３２０に送信する（ステップＳ４０８）。
【０１１１】
検索要求を受信したサーバ３２０は、該検索要求に基づいて取り忘れ画像を検索し、その検索結果を画像形成装置３１０に返送する（ステップＳ４０９）。詳細には、受信した検索要求にユーザ情報が付加されている場合は、そのユーザ情報の示すユーザのユーザボックスに記憶されている各取り忘れ画像に係る情報を検索結果として、具体的には各取り忘れ画像に関連付けされている属性情報を検索結果として画像形成装置３１０に返送する。
【０１１２】
受信した検索要求に検索条件が付加されている場合は、該検索条件に一致する画像を公開取り忘れボックスに記憶されている取り忘れ画像の中から検索し、その検索された取り忘れ画像に関連付けされている属性情報を検索結果として画像形成装置３１０に返送する。
【０１１３】
受信した検索要求に「検索条件なし」を示す情報が付加されている場合は、公開取り忘れボックスに記憶されているすべての取り忘れ画像についてその取り忘れ画像に関連付けされている属性情報を検索結果として画像形成装置３１０に返送する。
【０１１４】
検索結果を受信した画像形成装置３１０は、該検索結果の示す取り忘れ画像を選択肢とする印刷対象の選択画面を操作表示部１９に表示する。詳細には、ユーザ情報を付加した検索要求に対してサーバ３２０から検索結果を受信した場合は、その検索結果に基づいて、図１０に示すようなユーザ取り忘れ画像選択画面６３を操作表示部１９に表示する。検索条件を付加した検索要求に対してサーバ３２０から検索結果を受信した場合は、その検索結果に基づいて、図１２（ａ）に示すような公開取り忘れ画像選択画面（一致）７５を操作表示部１９に表示する。「検索条件なし」を付加した検索要求に対してサーバ３２０から検索結果を受信した場合は、その検索結果に基づき、図１２（ｂ）に示すような公開取り忘れ画像選択画面（全画像）７５Ｂを操作表示部１９に表示する（ステップＳ４１０）。
【０１１５】
そして、ユーザから取り忘れ画像の選択を受けると、その画像の画像データをサーバ３２０から入手し（ステップＳ４１１、Ｓ４１２）、印刷部１４から対応する印刷物を印刷出力させる（ステップＳ４１３）。たとえば、サーバ３２０から画像形成装置３１０へ返信する検索結果の各属性情報に識別番号を付加しておき、その識別番号をキーとして画像データをサーバ３２０に要求するように構成することができる。
【０１１６】
このように、第２の実施の形態に係る画像形成システム３００では、取り忘れ原稿の持ち主への取り忘れの事実の通知や、取り忘れ原稿と同じ印刷物の印刷出力などが可能であり、第１の実施の形態と同様の効果を得ることができる、さらに、画像形成システム３００では、参照保存をサーバ３２０側で行うので、画像形成装置３１０では参照保存のためにハードディスク装置２４の記憶容量が消費されなくなる。また、画像データの比較や検索条件に基づく検索をサーバ３２０側で行うので、画像形成装置３１０は画像データの比較処理などを行う必要がなく、画像形成装置３１０の負担を軽減することができる。
【０１１７】
なお、画像形成装置３１０で行われるその他の機能をサーバ３２０側に移管して行わせるように構成されてもよい。たとえば、ユーザ認証において、ユーザ認証のための情報を画像形成装置３１０で取得し、この情報を画像形成装置３１０からサーバ３２０へ送信し、サーバ３２０側で実際の認証処理を行い、その結果を画像形成装置３１０へ通知するように構成されてもよい。このほか、取り忘れ原稿一覧５０を印刷するための印刷データをサーバ３２０側で作成し、これを画像形成装置３１０へ送信して印刷させるように構成されてもよい。
【０１１８】
以上、本発明の各種実施の形態を図面によって説明してきたが、具体的な構成は実施の形態に示したものに限られるものではなく、本発明の要旨を逸脱しない範囲における変更や追加があっても本発明に含まれる。
【０１１９】
実施の形態では、ユーザの種類として、認証ユーザとパブリックユーザがある場合を例に説明したが、ユーザ認証の機能を具備せず、すべてのユーザがパブリックユーザとなる構成であってもよい。パブリックユーザのみとする場合、検索条件がなければ、すべての取り忘れ画像が印刷対象の選択肢としてリスト表示される。また、属性情報の項目としてユーザ情報は含まなくてよい。
【０１２０】
また、取り忘れ通知の有効無効や通知方法（電子メール４０の送信、取り忘れ原稿一覧５０の印刷出力など）をいずれにするか、図１３に例示した警告機能を有効にするか否かなどについて予め設定できるように構成し、該設定内容に従って動作するように構成されてもよい。
【０１２１】
また、ジョブに係る原稿や印刷物が複数ページある場合は、そのすべてのページの画像データを参照保存してもよいし、特定のページのみを参照保存してもよい。特定のページとしては、１ページ目のみ、あるいは先頭から数ページまでなどとすることができる。また、白紙に近いページを検出し、該ページは参照保存の対象から除外するようにしてもよい。
【０１２２】
実施の形態で示したユーザ取り忘れ画像選択画面６３、公開取り忘れ画像選択画面（一致）７５、公開取り忘れ画像選択画面（全画像）７５Ｂ、検索条件入力画面７０、通知用の電子メール４０、取り忘れ原稿一覧５０などの画面構成や書式は一例であり、例示したものに限定されるものではない。
【０１２３】
取り忘れ画像は、再プリントモードで印刷された場合に自動で消去してもよいし、ユーザに消去するか否かを問い合わせし、「消去する」旨の選択を受けた場合に消去するように構成してもよい。
【０１２４】
また、参照保存された画像は、一定期間の経過で自動消去するようにしてもよいし、記憶容量が許す限り累積記憶し、記憶容量が限界となった場合に古いものから消去するといった消去制御を行ってもよく、参照保存されている各データの消去タイミングは適宜に設定すればよい。たとえば、ジョブ実行後、所定日数（たとえば、１日や２日）が経過した時点で消去したり、画像形成装置１０が電源オフされた場合に消去したりすることができる。
【０１２５】
なお、画像形成システム３００では、サーバ３２０は複数の画像形成装置３１０を相手にするので、通信相手がどの画像形成装置３１０であるかを画像形成装置３１０の装置ＩＤ(たとえば装置番号)などの識別情報で判別するとよい。たとえば、画像形成装置３１０はサーバ３２０へアクセスする際に自機の装置ＩＤを送信し、サーバ３２０は受信した装置ＩＤに基づいて相手の画像形成装置３１０を識別して返信する。
【図面の簡単な説明】
【０１２６】
【図１】本発明の第１の実施の形態に係る画像形成装置の概略構成を示すブロック図である。
【図２】本発明の第１の実施の形態に係る画像形成装置の取り忘れ原稿の再生に関連する動作（通常モード、取り忘れ通知モード、再プリントモードの各動作）の概略を示す説明図である。
【図３】動作モード設定画面の一例を示す正面図である。
【図４】本発明の第１の実施の形態に係る画像形成装置が行う通常モードでの動作を示す流れ図である。
【図５】本発明の第１の実施の形態に係る画像形成装置の取り忘れ通知モードでの動作を示す流れ図である。
【図６】取り忘れ通知用の電子メールの一例を示す説明図である。
【図７】取り忘れ原稿一覧５０の一例を示す正面図である。
【図８】本発明の第１の実施の形態に係る画像形成装置の再プリントモードでの動作を示す流れ図である。
【図９】ユーザＩＤ入力画面の一例を示す正面図である。
【図１０】ユーザ取り忘れ画像選択画面の一例を示す正面図である。
【図１１】検索条件入力画面の一例を示す正面図である。
【図１２】公開取り忘れ画像選択画面一例を示す正面図である。
【図１３】取り忘れ警告画面およびその詳細画面の一例を示す正面図である。
【図１４】本発明の第２の実施の形態に係る画像形成システムのシステム構成例を示す説明図である。
【図１５】本発明の第２の実施の形態に係る画像形成システムに含まれるサーバの概略構成を示すブロック図である。
【図１６】本発明の第２の実施の形態に係る画像形成システムの動作を示す流れ図である。
【符号の説明】
【０１２７】
１０…画像形成装置
１１…ＣＰＵ
１２…バス
１３…読取部
１４…印刷部
１５…ＲＯＭ
１６…ＲＡＭ
１７…不揮発メモリ
１８…ユーザ認証入力部
１９…操作表示部
２１…画像処理部
２２…ネットワークＩ／Ｆ部
２３…ファクシミリ通信制御部
２４…ハードディスク装置
３０…動作モード設定画面
３１…取り忘れ通知釦
３２…再プリント釦
４０…電子メール
５０…取り忘れ原稿一覧
６１…ユーザＩＤ入力画面
６３…ユーザ取り忘れ画像選択画面
６４…リスト
６５…ＯＫ釦
７０…検索条件入力画面
７５…公開取り忘れ画像選択画面（一致）
７５Ｂ…公開取り忘れ画像選択画面（全画像）
８０…取り忘れ警告画面
８３…詳細画面
８４…プリント釦
３００…画像形成システム
３０１…ネットワーク
３０３…端末装置
３１０…画像形成装置
３２０…サーバ
３２１…ＣＰＵ
３２２…バス
３２３…プログラムメモリ
３２４…システムメモリ
３２５…操作表示部
３２６…ハードディスク装置
３２７…ネットワークＩ／Ｆ部
Ｆ…参照保存した画像データ
Ｊ…参照保存した属性情報
【図１】
2010002470.tif 000003
【図２】
2010002470.tif 000004
【図３】
2010002470.tif 000005
【図４】
2010002470.tif 000006
【図５】
2010002470.tif 000007
【図６】
2010002470.tif 000008
【図７】
2010002470.tif 000009
【図８】
2010002470.tif 000010
【図９】
2010002470.tif 000011
【図１０】
2010002470.tif 000012
【図１１】
2010002470.tif 000013
【図１２】
2010002470.tif 000014
【図１３】
2010002470.tif 000015
【図１４】
2010002470.tif 000016
【図１５】
2010002470.tif 000017
【図１６】
2010002470.tif 000018